(57)【要約】【課題】  タッチペンと同様にタッチの際の誤動作を防止でき、タッチパネルを汚すことがなく、携帯時などの取り扱い容易であり、実用性及び斬新性に富んだ静電容量式のタッチパネル操作具を提供する。【解決手段】  指先に嵌る本体部１と、該本体部１の前端部に突出させて形成された伝導部２とからなるタッチパネル操作具、好ましくは、指先に嵌めた状態の本体部１の上面に爪部３が表示されてなるタッチパネル操作具。【選択図】  図１
0003176923.tif 000002
【実用新案登録請求の範囲】
【請求項１】
指先に嵌る本体部と、該本体部の前端部に突出させて形成した導電部とからなることを特徴とするタッチパネル操作具。
【請求項２】
前記本体部を導電部材としたことを特徴とする請求項１に記載のタッチパネル操作具。
【請求項３】
前記本体部を非導電部材としたことを特徴とする請求項１に記載のタッチパネル操作具。
【請求項４】
指先に嵌めた状態の本体部の上面に爪部を表示したことを特徴とする１、２又は３に記載のタッチパネル操作具。
【請求項５】
前記爪部が着脱自在の化粧爪であることを特徴とする請求項４に記載のタッチパネル操作具。
【考案の詳細な説明】
【技術分野】
【０００１】
本考案は、携帯電話、携帯型音楽プレーヤ等の端末機器の静電容量式のタッチパネル操作具に関する。
【背景技術】
【０００２】
近時、携帯電話、携帯型音楽プレーヤ等の端末機器には静電容量式のタッチパネルが採用されている。
【０００３】
従来、前記静電容量式のタッチパネルの操作は、直接、指をタッチパネル当てる操作のほか、タッチペンが用いられている。前記指による操作の場合、特に、端末機器が小型で、タッチパネルの表示が小さい場合には、指が目的外の表示にも当たり、しばしば誤動作となることがあった。その他、指タッチによりタッチパネルの表面に指の汚れが付着する場合があった。
【０００４】
また、前記タッチペンによる操作の場合には、前記指による操作の場合と異なり、タッチパネルの必要な表示にピンポイントでタッチすることができ誤動作を防止することができるが、タッチペンを片手でしっかりと把持する必要があり、片手が完全に塞がれるものであった。
【０００５】
したがって、例えば、端末機器を片手に持って、その片手の親指で端末機器を操作することは不可能であった。さらに、タッチペンの携帯、紛失などに気を使うものであった。
【考案の概要】
【考案が解決しようとする課題】
【０００６】
本考案は、タッチペンと同様にタッチの際の誤動作を防止でき、タッチパネルを汚すことがなく、携帯時などの取り扱いが容易であり、実用性及び斬新性に富んだ静電容量式のタッチパネル操作具を提に供することを目的とする。
【課題を解決するための手段】
【０００７】
前記課題を解決するため、本考案に係るタッチパネル操作具は、指先に嵌る本体部と、該本体部の前端部に突出させて形成した導電部とからなることを特徴とする（請求項１）。
【０００８】
本考案のタッチパネル操作具の本体部は、ゴム、プラスチック、布地、その他の導電材料あるいは非導電材料によって構成され、好ましくは伸縮性を有し、さらに、親指用、人差指用などの種類及び適宜のサイズに構成される。
【０００９】
前記本体部の前端部に突出させて形成する導電部は、銅、鉄、その他の導電金属、あるいはそれらを含んだ導電加工物、その他の導電材料が使用される。なお、前記導電部材は前記本体部の前端部、具体的には先端部あるいは該先端部のやや側面の任意の箇所に突出させて形成される。
【００１０】
前記構成の本考案は、親指あるいは人差指などに前記本体部を嵌めて、該本体部の前端部に形成された導電部を端末機器の静電容量式のタッチパネルに当ててタッチペンの変わりとして使用される。
【００１１】
前記本考案は、指部を直接タッチパネルに当てて操作する場合に比べてタッチパネルの表面を汚すことがない。また、使用感覚は指先を直接タッチパネルに当てた場合と異ならない。
【００１２】
本考案の実施の一形態は、前記本体部を導電部材としたことを特徴とする（請求項２）。この実施の一形態によれば、前記本体部の前端部に突出させて形成する導電部も本体部と一体成形等により製作することができる。
【００１３】
本考案の実施の一形態は、前記本体部を非導電部材としたことを特徴とする（請求項３）。この実施の一形態によれば、本体部に各種の非導電部材を採用することができる。なお、この実施例では、前記導電部は後に本体部の前端部に固着される。
【００１４】
本考案の実施の一形態は、指先に嵌めた状態の本体部の上面に爪部表示したことを特徴とする（請求項４）この実施の一形態によれば、タッチパネル操作具自体が爪部を備えた指先の形態となり見た目に斬新である。
【００１５】
本考案の実施の一形態は、前記爪部が脱着自在の化粧爪としたことを特徴とする（実施例５）。この実施の一形態によれば、使用者の好みに応じて化粧爪に変更することができ斬新性がさらに向上する。なお、前記本体部の化粧爪の取付け位置に予め化粧爪の形状に合わせた凹部を形成しておくとよい。
【考案の効果】
【００１６】
本考案によれば、タッチペンと同様に誤動作を防止でき、使用感覚は指先を直接タッチパネルに当てた場合と同様であり、タッチパネルを汚すことがなく、携帯時などの取り扱いが容易であり、実用性及び斬新性に富んだ効果を得ることができるものである。
【図面の簡単な説明】
【００１７】
【図１】本考案の実施の一形態に係るタッチパネル操作具の斜視図である。
【図２】本考案の実施の一形態に係るタッチパネル操作具の使用状態を示す斜視図である。
【考案を実施するための形態】
【００１８】
以下に、添付図面を参照して、本考案を実施するための最良の形態について説明する。
【００１９】
図面は本考案を人指し指８に適用した例であり、１は人指し指８に嵌る本体部であり、ゴム、プラスチック、布地、その他の導電部材あるいは非導電部材によって構成され、好ましくは伸縮性を有する。
【００２０】
２は前記本体部１の先端部のやや側面位置に突出させて形成した導電部であり、銅、鉄、その他の導電金属、あるいはそれらを含んだ導電加工物、その他の導電材料からなる。
【００２１】
なお、前記導電部２は小さな固まりに形成され本体部１から突出させられ、前記本体部１が非導電部材の場合には接着剤により、あるいはその他の方法で固着させられる。
【００２２】
さらに、図面実施例では、人指し指８に嵌めた状態の本体部１の上面に爪部３が表示されている。前記爪部３は市販されている化粧爪であってよい。該化粧爪３は脱着自在であり、使用者の好みに応じて変更することができる。なお、前記本体部１の前記爪部３の取付け位置に予め爪部３の形状に合わせた凹部を形成しておくとよい。
【００２３】
さらに図面実施例では、前記本体部１の開口部に連結材４を介してイャホンジャック５が設けられている。該イャホンジャック５はイャホン不使用時にイャホン接続口に差し込み、イャホン接続口からゴミの侵入を防止するために使用される。図中、６は端末機器、７はタッチパネルである。
【００２４】
前記構成の本考案は、図２に示すように、本体部１を人指し指８に嵌めて、該本体部１の前端部に突出させて形成した導電部２を端末機器６のタッチパネル７に当ててタッチペンの代わりとして使用される。前記本考案は、タッチペンのように把持する必要がなく取り扱い及び操作性が優れている。
【００２５】
さらに、前記の通り、本考案を親指に適用した場合には、端末機器を片手に持って、その片手の親指で端末機器を操作することもできる。
【符号の説明】
【００２６】
１  本体部
２  導電部材
３  爪（化粧爪）
５  イャホンジャック
【図１】
0003176923.tif 000003
【図２】
0003176923.tif 000004